(57)【要約】【課題】本発明は、第１の筐体以外の箇所に配置される他の操作キーの操作性を改善でき、使い易い電子機器を得ることにある。【解決手段】電子機器は、複数の操作キー５が配置された第１の面２ａを有する第１の筐体２と、表示画面６が配置された第２の面３ａを有する第２の筐体３と、第１の筐体と第２の筐体とを相対的に回動可能に連結するヒンジ部４とを具備している。この電子機器は、第１の面と第２の面とが互いに向かい合うように折り畳まれる第１の形態と、第１の面および第２の面を露出させるように展開される第２の形態とに変位可能である。第２の筐体の第２の面のうち表示画面よりもヒンジ部の方向に偏った位置に、第１の筐体の操作キーよりも操作頻度が高い少なくとも一つの他の操作キー１２ａ，１２ｂが配置されている。【選択図】　図１
2004007188.tif 000002
【特許請求の範囲】
【請求項１】
複数の操作キーが配置された第１の面を有する第１の筐体と、
表示画面が配置された第２の面を有する第２の筐体と、
上記第１の筐体と上記第２の筐体とを相対的に回動可能に連結するヒンジ部と、を具備し、上記ヒンジ部を支点として上記第１の筐体の第１の面と上記第２の筐体の第２の面とが互いに向かい合うように折り畳まれる第１の形態と、上記第１の筐体の第１の面および上記第２の筐体の第２の面を露出させるように展開される第２の形態とに変位可能な電子機器であって、
上記第２の筐体の第２の面のうち上記表示画面よりも上記ヒンジ部の方向に偏った位置に、上記第１の筐体の操作キーよりも操作頻度が高い少なくとも一つの他の操作キーを配置したことを特徴とする電子機器。
【請求項２】
請求項１の記載において、上記他の操作キーが複数存在する場合に、これら他の操作キーは、上記第２の筐体の幅方向に並べて配置されていることを特徴とする電子機器。
【請求項３】
請求項１又は請求項２の記載において、上記他の操作キーは、インターネットを利用した情報閲覧時に操作するものであることを特徴とする電子機器。
【請求項４】
請求項１の記載において、上記他の操作キーと上記表示画面とは、互いに並べて配置されているとともに、上記他の操作キーは、上記表示画面に表示された内容を実行する際に操作するものであることを特徴とする電子機器。
【請求項５】
請求項１の記載において、上記他の操作キーは、上記表示画面に表示された内容を選択する時に操作するものであることを特徴とする電子機器。
【請求項６】
複数の操作キーが配置された第１の面を有する第１の筐体と、
表示画面が配置された第２の面を有する第２の筐体と、
上記第１の筐体と上記第２の筐体との間に介在され、一端が上記第１の筐体に回動可能に連結されるとともに、他端が上記第２の筐体に回動可能に連結された第３の筐体と、を具備し、
上記第３の筐体を支点として上記第１の筐体の第１の面と上記第２の筐体の第２の面とが互いに向かい合うように折り畳まれる第１の形態と、上記第１の筐体の第１の面および上記第２の筐体の第２の面を露出させるように展開される第２の形態とに変位可能な電子機器であって、
上記第３の筐体は、上記第１および第２の筐体が上記第２の形態に変位された時に露出される第３の面を有し、この第３の面に上記第１の筐体の操作キーよりも操作頻度が高い少なくとも一つの他の操作キーを配置したことを特徴とする電子機器。
【請求項７】
請求項６の記載において、上記第３の筐体の第３の面は、平坦であるとともに、上記第１および第２の筐体が第２の形態に変位された時に、上記第１の面と上記第２の面との間に位置されることを特徴とする電子機器。
【請求項８】
請求項６の記載において、上記他の操作キーが複数存在する場合に、これら他の操作キーは、上記第３の筐体の幅方向に並べて配置されていることを特徴とする電子機器。
【請求項９】
請求項６ないし請求項８のいずれかの記載において、上記他の操作キーは、インターネットを利用した情報閲覧時に操作するものであることを特徴とする電子機器。
【請求項１０】
請求項６ないし請求項８のいずれかの記載において、上記表示画面と上記第３の筐体の第３の面は、上記第１および第２の筐体が第２の形態に変位した時に互いに隣り合うとともに、上記他の操作キーは、上記表示画面に表示された内容を実行又は選択する際に操作するものであることを特徴とする電子機器。
【請求項１１】
複数の操作キーが配置された第１の面を有する第１の筐体と、
表示画面が配置された第２の面を有する第２の筐体と、
上記第１の筐体と上記第２の筐体との間に介在され、一端が上記第１の筐体に回動可能に連結されるとともに、他端が上記第２の筐体に回動可能に連結された第３の筐体と、を具備し、
上記第１の筐体の第１の面と上記第２の筐体の第２の面とが互いに向かい合うように折り畳まれる第１の形態と、上記第１の筐体の第１の面および上記第２の筐体の第２の面を露出させるように展開される第２の形態とに変位可能な電子機器であって、
上記第３の筐体は、上記第１および第２の筐体が上記第２の形態に変位された時に露出される第３の面を有し、この第３の面に上記第１の筐体の操作キーよりも操作頻度が高い少なくとも一つの他の操作キーを配置するとともに、
上記第１ないし第３の筐体は、夫々その回動時の軸線と直交する方向に延びる長さ寸法を有し、上記第２の筐体の長さ寸法は、上記第１の筐体の長さ寸法よりも大きく、上記第３の筐体の長さ寸法は、上記第１および第２の筐体の長さ寸法よりも小さいことを特徴とする電子機器。
【請求項１２】
請求項１１の記載において、上記第３の筐体は、上記第１および第２の筐体が上記第２の形態に変位した時に、上記第２の筐体の第２の面と向かい合うとともに、この第２の面は、上記第３の筐体を避ける傾斜面を有することを特徴とする電子機器。
【請求項１３】
請求項１２の記載において、上記第３の筐体の第３の面は、上記第１および第２の筐体が上記第２の形態に変位された時に、上記第１の面と上記傾斜面との間に位置されることを特徴とする電子機器。
【請求項１４】
請求項１１ないし請求項１３のいずれかの記載において、上記他の操作キーは、上記表示画面に表示された内容を実行又は選択する際に操作するものであることを特徴とする電子機器。
【発明の詳細な説明】
【０００１】
【発明の属する技術分野】
本発明は、携帯電話機あるいは電子手帳のような折り畳み式の電子機器に係り、特に電子機器の操作性を高めるための構造に関する。
【０００２】
【従来の技術】
例えば携帯電話機は、容易に持ち運べるように、キーや表示画面を有する筐体の小型・軽量化が押し進められている。この場合、筐体自体をあまりに小型化してしまうと、逆に電話番号や文字を入力する際の操作性が損なわれる虞がある。そのため、最近の携帯電話機は、携帯時は筐体を折り畳み、使用時はキーや表示画面を露出させるように筐体を展開させる、いわゆる折り畳み式のものが主流となる傾向にある。
【０００３】
「特開２００１−２９８５１４号公報」は、従来一般的な折り畳み式の携帯電話機を開示している。この先行技術に開示された携帯電話機は、電話番号や文字を入力するダイヤルキーのような複数の操作キーを有する第１の筐体と、表示画面を有する第２の筐体と、これら第１および第２の筐体を回動可能に連結するヒンジ部とで構成されている。そのため、第１および第２の筐体は、互いに重なり合うように折り畳まれる第１の形態と、上記操作キーや表示画面を露出させるように展開される第２の形態とに変位可能となっている。
【０００４】
ところで、最近の携帯電話機は、機能の多用化が進み、例えば通信ネットワークを介して映画、音楽、ゲームのような情報サイトにアクセスすることが可能となっている。この携帯電話機の多機能化は、第１の筐体に配置される操作キーの数の増大を招き、これら操作キーの配置が煩雑となりつつある。
【０００５】
この対策として、上記先行技術では、第１の筐体と第２の筐体とを連結するヒンジ部に、表示画面上のカーソルを移動させたり、機能をスクロールする時に使うスクロールキーを配置している。これにより、第１の筐体に配置される操作キーの数を減らし、操作キーの配置が煩雑となるのを抑えている。
【０００６】
上記先行技術によると、上記ヒンジ部は、円弧状に湾曲された外面を有している。このヒンジ部の外面は、第１および第２の筐体を第２の形態に変位させた時に、これら第１の筐体と第２の筐体との境界部分から上向きに張り出しており、この外面の上に上記スクロールキーが配置されている。
【０００７】
【発明が解決しようとする課題】
ところが、この構成によると、ヒンジ部は、第１および第２の筐体とを単に連結しているだけで、これら第１および第２の筐体よりも遥かに小さいので、このヒンジ部に配置し得る操作キーの種類が制約を受ける。
【０００８】
この結果、ヒンジ部に配置し得る操作キーの形状や数が自ずと限定されてしまい、操作キーの操作性を高める上での妨げとなるといった不具合が生じてくる。
【０００９】
本発明は、このような事情にもとづいてなされたもので、第１の筐体以外の箇所に配置される他の操作キーの数や種類が制約を受け難くなり、操作性を改善できる電子機器を得ることにある。
【００１０】
【課題を解決するための手段】
上記目的を達成するため、本発明に係る電子機器は、
複数の操作キーが配置された第１の面を有する第１の筐体と、
表示画面が配置された第２の面を有する第２の筐体と、
上記第１の筐体と上記第２の筐体とを相対的に回動可能に連結するヒンジ部とを備えており、上記第２の筐体の第２の面のうち上記表示画面よりも上記ヒンジ部の方向にずれた位置に、上記第１の筐体の上記操作キーよりも操作頻度が高い少なくとも一つの他の操作キーを配置したことを特徴としている。
【００１１】
この構成によれば、第２の筐体の第２の面は、ヒンジ部よりも広いので、ここにプッシュ式あるいは回転式の他の操作キーを無理なく配置することができ、これら操作キーの数や種類が制約を受けずに済む。そのため、第１および第２の筐体に夫々操作キーをレイアウトする上での自由度が増大する。
【００１２】
さらに、オペレータが指先で他の操作キーを操作する際、オペレータは第１の筐体と第２の筐体との双方を手で保持することになる。このため、操作頻度の高い他の操作キーを操作する際に、電子機器を片手でしっかりと支えることができ、この電子機器の姿勢が安定する。したがって、他の操作キーの数や種類が制約を受けないことと合わせて、この電子機器の操作性を改善することができる。
【００１３】
【発明の実施の形態】
以下本発明の第１の実施の形態を、図１および図２にもとづいて説明する。
【００１４】
図１および図２は、電子機器としての折り畳み式の携帯電話機１を開示している。この携帯電話機１は、第１の筐体２、第２の筐体３およびヒンジ部４とで構成されている。第１の筐体２は、偏平な四角い箱形であり、その長さ寸法Ｌ１が幅寸法Ｌ２よりも大きく設定されている。この第１の筐体２は、平坦な第１の面２ａを有し、この第１の面２ａに複数のプッシュ式の操作キー５が配置されている。操作キー５は、例えば電話番号や文字を入力する時に使用するダイヤルキー、携帯電話機１の電源をＯＮ／ＯＦＦする電源キー、電話をかける時や受ける時に使用する送受話キーおよびその他のキーを含んでいる。
【００１５】
第２の筐体３は、偏平な四角い箱形であり、その長さ寸法Ｌ３が幅寸法Ｌ４よりも大きく設定されている。第２の筐体３は、平坦な第２の面３ａを有し、この第２の面３ａの中央部に例えば電話番号、文字および設定した機能の内容を表示する表示画面６が配置されている。第２の筐体３の長さ寸法Ｌ３および幅寸法Ｌ４は、第１の筐体２の長さ寸法Ｌ１および幅寸法Ｌ２と同等となっている。
【００１６】
ヒンジ部４は、第１の筐体２と第２の筐体３とを回動可能に連結するためのものである。このヒンジ部４は、第１の支持部８、第２の支持部９およびヒンジ軸１０を備えている。
【００１７】
第１の支持部８は、第１の筐体２の一端に形成されている。この第１の支持部９は、第１の筐体２の第１の面２ａから上向きに張り出しており、その外周面が円弧状に湾曲されている。第２の支持部９は、第２の筐体３の一端に形成されている。第２の支持部９は、第２の筐体３の一端から第１の筐体２の第１の支持部８に向けて張り出しており、その外周面が円弧状に湾曲されている。これら第１の支持部８と第２の支持部９とは、第１および第２の筐体２，３の幅方向に互いに並べて配置されている。ヒンジ軸１０は、第１および第２の筐体２，３の幅方向に延びており、上記第１および第２の支持部８，９を貫通している。
【００１８】
そのため、携帯電話機１は、ヒンジ軸１０の軸線Ｏ１を中心として、第１の筐体２の第１の面２ａと第２の筐体３の第２の面３ａとが互いに向かい合うように折り畳まれる第１の形態と、第１の筐体２の第１の面２ａおよび第２の筐体３の第２の面３ａを露出させるように展開される第２の形態とに亘って変位可能となっている。そして、図１や図２の（Ａ）（Ｂ）に示すように、携帯電話機１が第２の形態に変位された状態では、第１の筐体２と第２の筐体３との間にヒンジ部４が位置されるとともに、第１の筐体２の第１の面２ａと第２の筐体３の第２の面３ａとが一直線上に揃うように展開されている。
【００１９】
図１に示すように、第２の筐体３の第２の面３ａは、表示画面６とヒンジ部４との間に介在される領域１１を有している。領域１１は、平坦であり、この領域１１に二つの他の操作キー１２ａ，１２ｂが配置されている。他の操作キー１２ａ，１２ｂは、指先で押圧するプッシュ式となっており、表示画面６に隣接した位置において第２の筐体３の幅方向に並べて配置されている。
【００２０】
一つの操作キー１２ａは、例えば表示画面６上のカーソルを移動させたり、機能の内容を選択する時に使用するものである。残りの操作キー１２ｂは、例えば表示画面６に表示された機能の内容を実行する時に使用するものである。このため、本実施の形態の場合、他の操作キー１２ａ，１２ｂは、主にインターネットを利用した情報閲覧時あるいはインターネット上で文字情報（電子メール）をやり取りする際に使用するものであり、このインターネットを利用した携帯電話機１の使用時にあっては、第１の筐体２の操作キー５よりも使用頻度が高くなっている。
【００２１】
このような本発明の第１の実施の形態によれば、第２の筐体３の第２の面３ａは、表示画面６を有するのみであるから、この第２の面３ａうち表示画面６とヒンジ部４との間に平坦な広い領域１１を容易に確保することができる。このため、第２の面３ａの領域１１に、インターネットの利用時に操作する他の操作キー１２ａ，１２ｂを無理なく配置することができ、これら他の操作キー１２ａ，１２ｂの数や種類が制約を受けずに済む。よって、第１および第２の面２ａ，３ａに夫々操作キー５，１２ａ，１２ｂをレイアウトする上での自由度が増大する。
【００２２】
しかも、上記構成によると、他の操作キー１２ａ，１２ｂは、第２の筐体３の第２の面３ａに配置されているので、インターネットの利用時に他の操作キー１２ａ，１２ｂを操作する際、オペレータは、第１の筐体２と第２の筐体３の双方を手で保持することになる。
【００２３】
すなわち、オペレータは、携帯電話機１の長さ方向に沿う中央部分を手で保持することになるので、他の操作キー１２ａ，１２ｂを操作する際に、携帯電話機１を片手でしっかりと支えることができ、それ故、携帯電話機１の姿勢が安定する。
【００２４】
この結果、特にインターネットを利用した通信時における他の操作キー１２ａ，１２ｂの操作性が良好となり、携帯電話機１の使い勝手が向上するといった利点がある。
【００２５】
なお、本発明は、上記第１の実施の形態に特定されるものではなく、図３および図４に本発明の第２の実施の形態を示す。
【００２６】
この第２の実施の形態に係る携帯電話機１は、第１の筐体２と第２の筐体３とを連結する部分の構成が上記第１の実施の形態と相違しており、それ以外の携帯電話機１の基本的な構成は、上記第１の実施の形態と同様である。そのため、第２の実施の形態において、第１の実施の形態と同一の構成部分には、同一の参照符号を付してその説明を省略する。
【００２７】
図３および図４に示すように、携帯電話機１は、第１の筐体２と第２の筐体３との間に介在された第３の筐体２１を有している。第３の筐体２１は、長さ寸法Ｌ５および幅寸法Ｌ６を有する偏平な箱形に形成されている。第３の筐体２１の長さ寸法Ｌ５は、第１の筐体２および第３の筐体３を第１の形態に変位させた時の携帯電話機１の厚み寸法よりも小さく設定されている。第３の筐体２１の幅寸法Ｌ６は、第１および第２の筐体２，３の幅寸法Ｌ２，Ｌ４と同等となっている。そのため、第３の筐体２１は、幅寸法Ｌ６の方が長さ寸法Ｌ５よりも大きく設定されている。
【００２８】
第３の筐体２１は、第１の端部２１ａと第２の端部２１ｂとを有している。第１および第２の端部２１ａ，２１ｂは、第３の筐体２１の長さ方向に離間している。第３の筐体２１の第１の端部２１ａは、第１の筐体２の一端に第１のヒンジ軸２３ａを介して回動可能に連結され、第３の筐体２１の第２の端部２１ｂは、第２の筐体３の一端に第２のヒンジ軸２３ｂを介して回動可能に連結されている。これら第１および第２のヒンジ軸２３ａ，２３ｂは、第１ないし第３の筐体２，３，２１の幅方向に沿って互いに平行に配置されている。
【００２９】
このため、携帯電話機１は、第１および第２のヒンジ軸２３ａ，２３ｂの軸線Ｏ２を中心として、第１の筐体２の第１の面２ａと第２の筐体３の第２の面３ａとが互いに向かい合うように折り畳まれる第１の形態と、第１の筐体２の第１の面２ａおよび第２の筐体３の第２の面３ａを露出させるように展開される第２の形態とに亘って変位可能となっている。
【００３０】
図４の（Ａ）に示すように、携帯電話機１が第２の形態に変位された状態では、第１の筐体２と第２の筐体３との間に第３の筐体２１が位置されている。この第３の筐体２１は、平坦な第３の面２４を有している。第３の面２４は、携帯電話機１が第２の形態に変位された時に、第１の筐体２の第１の面２ａおよび第２の筐体３の第２の面３ａに連続するとともに、表示画面６の真下に位置されている。
【００３１】
第３の面２４に第１ないし第４の他の操作キー２５ａ〜２５ｄが配置されている。第１ないし第４の他の操作キー２５ａ〜２５ｄは、夫々プッシュ式となっている。第１ないし第３の操作キー２５ａ〜２５ｃは、夫々表示画面６に表示された機能の内容を実行する時に使用するものでおり、上記表示画面６の下縁に隣接した位置において、第３の筐体２１の幅方向に一列に並べて配置されている。第４の他の操作キー２５ｄは、表示画面６上のカーソルを移動させたり、機能の内容を選択する時に使用するものであり、第３の面２４の中央部に位置されている。そのため、第１ないし第４の他の操作キー２５ａ〜２５ｄは、主にインターネットを利用した情報閲覧時や電子メールをやり取りする際に使用するものであり、このインターネットを利用した携帯電話機１の使用時にあっては、第１の筐体２の操作キー５よりも使用頻度が高くなっている。
【００３２】
また、図４の（Ｃ）に示すように、携帯電話機１を第１の形態に変位させた状態では、第３の筐体２１は、携帯電話機１の厚み方向に沿うような姿勢に保持されている。このため、第３の筐体２１の第３の面２４は、第１の筐体２および第２の筐体３によって覆い隠されている。
【００３３】
このような構成によると、第１の筐体２と第２の筐体３は、これとは別の第３の筐体２１を介して回動可能に連結され、この第３の筐体２１は、携帯電話機１を第２の形態に変位させた時に、第１および第２の面２ａ，３ａに連続する平坦な第３の面２４を有している。このため、第３の面２４の面積を充分に確保することができ、この第３の面２４に主にインターネットの利用時に操作する第１ないし第４の他の操作キー２５ａ〜２５ｄを無理なく配置することができる。
【００３４】
よって、第１ないし第４の他の操作キー２５ａ〜２５ｄの数や種類が制約を受け難くなり、第１および第３の面２ａ，２４に夫々操作キー５，２５ａ〜２５ｄをレイアウトする上での自由度が増大する。
【００３５】
さらに、第３の筐体２１は、携帯電話機１を使用する時に第１の筐体２と第２の筐体３との間に介在されるので、第１ないし第４の他の操作キー２５ａ〜２５ｄを操作する際、オペレータは、第１の筐体２と第３の筐体２１の双方を手で保持することになり、この携帯電話機１をその長さ方向に沿う中央部で支えることができる。したがって、第１ないし第４の他の操作キー２５ａ〜２５ｄを操作するに際して、オペレータは、携帯電話機１を片手でしっかりと支えることができ、この携帯電話機１の姿勢が安定する。
【００３６】
よって、第１ないし第４の他の操作キー２５ａ〜２５ｄの操作性が向上し、携帯電話機１の使い勝手が向上する。
【００３７】
しかも、上記構成によると、第２の筐体３の第２の面３ａの広い範囲を表示画面６の設置領域として利用することができる。このため、第１ないし第４の他の操作キー２５ａ〜２５ｄによって表示画面６の大きさが制限されることはなく、この表示画面６の大型化が可能となるといった利点がある。
【００３８】
図５は、本発明の第３の実施の形態を開示している。
【００３９】
この第３の実施の形態は、上記第２の実施の形態を発展させたものである。図５に示すように、第２の筐体３の長さ寸法Ｌ３は、第１の筐体２の長さ寸法Ｌ１よりも大きく設定されている。さらに、第３の筐体２１の長さ寸法Ｌ５は、第１および第２の筐体２３の長さ寸法Ｌ１，Ｌ３より小さいけれども、上記第２の実施例よりも大きく設定されている。
【００４０】
そのため、携帯電話機１を第１の形態に変位させた状態においては、図５の（Ｃ）に見られるように、第３の筐体２１が携帯電話機１の厚み方向に対し傾斜された姿勢に保持されており、この第３の筐体２１の第３の面２４が第２の筐体３の第２の面３ａの一部と向かい合っている。したがって、携帯電話機１が第１の形態に変位されている限り、第２の筐体３の第２の面３ａは、第１の筐体２および第３の筐体２１によって覆い隠されている。
【００４１】
また、上記構成の場合、携帯電話機１が第１の形態に変位された時に、第３の筐体２１の第３の面２４が第２の筐体３の第２の面３ａと重なり合うので、この第２の面３ａのうち第３の面２４と向かい合う部分は、第３の筐体２１の方向に進むに従い第２の筐体３の厚みを減じる方向に傾く傾斜面２７となっている。この傾斜面２５の存在により、第３の筐体２１および第１の筐体２が第２の筐体３と重なり合うように、これら第１ないし第３の筐体２，３，２１を折り畳むことができる。
【００４２】
さらに、上記構成によると、表示画面６の一部は、傾斜面２７に達するように延長されており、この表示画面６の大型化が図られている。それとともに、携帯電話機１が第１の形態に変位された時、第１および第２の筐体２，３における第３の筐体２１とは反対側の先端部は、これら筐体２，３の長さ方向にずれており、この先端部間に段差２８が形成されている。
【００４３】
そのため、本実施の形態の場合、第２の筐体３の第２の面３ａの先端部は、第１の筐体２によって覆われることなく露出されており、ここに指先を引っ掛けられるようになっている。したがって、携帯電話機１を第１の形態から第２の形態に変位させる時に、段差２８に指先を差し入れて第２の面３ａに引っ掛けることで、第２の筐体３を第１の筐体２から遠ざかる方向に回動させることができ、携帯電話機１の展開を容易に行えるようになっている。
【００４４】
このような第３の実施の形態によると、第２の筐体２の長さ寸法Ｌ３が第１および第３の筐体２１の長さ寸法Ｌ１，Ｌ５よりも大きいので、第２の面３ａの面積が増大する。そのため、表示画面６をより一層大型化することができ、この表示画面６が見易くなる。
【００４５】
さらに、第３の筐体２１は、携帯電話機１を第２の形態に変位させた時に、第１の筐体２と第２の筐体３との間に位置されるので、オペレータは、携帯電話機１をその長さ方向に沿う中央部で保持することになる。したがって、上記第２の実施の形態と同様に、オペレータは、第１ないし第４の他の操作キー２５ａ〜２５ｄを操作するに際して携帯電話機１を片手でしっかりと支えることができ、この携帯電話機１の姿勢が安定する。
【００４６】
なお、上記実施の形態では、第１の筐体以外の箇所に配置される他の操作キーをプッシュ式としたが、本発明はこれに限らず、例えばダイヤルのような回動式の操作キーや、タッチ式、スティック式の入力装置、アキュポイントを用いても良い。
【００４７】
さらに、本発明に係る電子機器は、携帯電話機に特定されるものではなく、例えば電子手帳あるいはＰＤＡ（Ｐｅｒｓｏｎａｌ　Ｄｉｇｉｔａｌ　Ａｓｓｉｓｔａｎｔｓ）のようなその他の情報機器であっても良い。
【００４８】
【発明の効果】
以上詳述した本発明によれば、電子機器を片手でしっかりと支えて使用頻度の高い他の操作キーを容易に操作することができ、電子機器の使い勝手が向上するといった利点がある。
【図面の簡単な説明】
【図１】本発明の第１の実施の形態に係る携帯電話機の斜視図。
【図２】（Ａ）は、本発明の第１の実施の形態において、第１および第２の筐体を第２の形態に変位させた状態を示す携帯電話機の平面図。（Ｂ）は、本発明の第１の実施の形態において、第１および第２の筐体を第２の形態に変位させた状態を示す携帯電話機の側面図。（Ｃ）は、本発明の第１の実施の形態において、第１および第２の筐体を第１の形態に変位させた状態を示す携帯電話機の側面図。
【図３】本発明の第２の実施の形態に係る携帯電話機の斜視図。
【図４】（Ａ）は、本発明の第２の実施の形態において、第１および第２の筐体を第２の形態に変位させた状態を示す携帯電話機の平面図。（Ｂ）は、本発明の第２の実施の形態において、第１および第２の筐体を第２の形態に変位させた状態を示す携帯電話機の側面図。（Ｃ）は、本発明の第２の実施の形態において、第１および第２の筐体を第１の形態に変位させた状態を示す携帯電話機の側面図。
【図５】（Ａ）は、本発明の第３の実施の形態において、第１および第２の筐体を第２の形態に変位させた状態を示す携帯電話機の平面図。（Ｂ）は、本発明の第３の実施の形態において、第１および第２の筐体を第２の形態に変位させた状態を示す携帯電話機の側面図。（Ｃ）は、本発明の第３の実施の形態において、第１および第２の筐体を第１の形態に変位させた状態を示す携帯電話機の側面図
【符号の説明】
２…第１の筐体
２ａ…第１の面
３…第２の筐体
３ａ…第２の面
４…ヒンジ部
５…操作キー
６…表示画面
１２ａ，１２ｂ，２４ａ，２５ｂ，２５ｃ，２５ｄ…他の操作キー
２１…第３の筐体
２４…第３の面
【図１】
2004007188.tif 000003
【図２】
2004007188.tif 000004
【図３】
2004007188.tif 000005
【図４】
2004007188.tif 000006
【図５】
2004007188.tif 000007